(57)【要約】  【課題】プロジェクタ付き電子カメラにおいてプロジェクタ投射口を適切に配設する。  【解決手段】プロジェクタ付き電子カメラ１０では、画像などの情報を投影するための投影光を射出するプロジェクタ投射窓１３をプロジェクタ付き電子カメラ１０の正面側に配設し、音声再生を行うスピーカ２１（図２）をプロジェクタ付き電子カメラ１０の背面側に配設する。プロジェクタ投射窓１３は、内蔵プロジェクタ装置によって投影光が射出される投影画角内にカメラグリップＧおよび撮影レンズ１１の鏡筒Ｐを含まないように配設する。また、使用者がカメラグリップＧを右手で把持する際に、使用者自身の指がプロジェクタ投射窓１３にかかるおそれが少ない位置に配設する。さらに、使用者が鏡筒Ｐの周囲に配設されている操作環を左手で操作する場合に、使用者自身の指がプロジェクタ投射窓１３にかかるおそれが少ない位置に配設する。  【選択図】図１
2006180154.tif 000002
【特許請求の範囲】
【請求項１】
撮影レンズと、
前記撮影レンズと異なる光学系によって光学像を投影するプロジェクタ装置からの投影光を射出するプロジェクタ投射口とを備え、
前記プロジェクタ投射口は、前記投影光の投影画角範囲に前記撮影レンズの鏡筒およびカメラ部材を含まない位置に配設されることを特徴とするプロジェクタ付き電子カメラ。
【請求項２】
請求項１に記載のプロジェクタ付き電子カメラにおいて、
撮影時に被写体を照明する照明光を射出する照明窓をさらに備え、
前記プロジェクタ投射口は、前記照明窓と並べて配設されることを特徴とするプロジェクタ付き電子カメラ。
【請求項３】
請求項２に記載のプロジェクタ付き電子カメラにおいて、
前記照明窓および前記プロジェクタ投射口は、使用位置と非使用位置との間を移動するように構成されることを特徴とするプロジェクタ付き電子カメラ。
【請求項４】
撮影レンズと異なる光学系によって光学像を投影するプロジェクタ装置からの投影光を射出するプロジェクタ投射口と、
前記光学像が投影される場合に再生音を発する音声再生部材とを備え、
前記プロジェクタ投射口は、前記音声再生部材による再生方向と反対向きに前記投影光を射出する位置に配設されることを特徴とするプロジェクタ付き電子カメラ。
【請求項５】
撮影時に被写体を照明する照明光を射出する照明窓と、
光学像を投影するプロジェクタ装置からの投影光を射出するプロジェクタ投射口とを備え、
前記プロジェクタ投射口は、前記照明窓と並べて配設されることを特徴とするプロジェクタ付き撮影用照明装置。
【発明の詳細な説明】
【技術分野】
【０００１】
本発明は、画像などの情報を投影するプロジェクタ装置を備える電子カメラ、撮影用照明装置に関する。
【背景技術】
【０００２】
プロジェクタ機能を搭載した電子カメラが知られている（特許文献１）。
【０００３】
【特許文献１】特開平８−１４６５１２号公報
【発明の開示】
【発明が解決しようとする課題】
【０００４】
特許文献１には、投影用光学系を撮影用光学系と共用する技術について記載されているが、光学系を共用しない場合における投影用光学系の適切な配設位置について開示されていない。
【課題を解決するための手段】
【０００５】
本発明によるプロジェクタ付き電子カメラは、撮影レンズと、撮影レンズと異なる光学系によって光学像を投影するプロジェクタ装置からの投影光を射出するプロジェクタ投射口とを備え、プロジェクタ投射口は、投影光の投影画角範囲に撮影レンズの鏡筒およびカメラ部材を含まない位置に配設されることを特徴とする。
プロジェクタ付き電子カメラはさらに、撮影時に被写体を照明する照明光を射出する照明窓を備えてもよく、この場合のプロジェクタ投射口は、照明窓と並べて配設されるとよい。
照明窓およびプロジェクタ投射口は、使用位置と非使用位置との間を移動するように構成してもよい。
本発明によるプロジェクタ付き電子カメラは、撮影レンズと異なる光学系によって光学像を投影するプロジェクタ装置からの投影光を射出するプロジェクタ投射口と、光学像が投影される場合に再生音を発する音声再生部材とを備え、プロジェクタ投射口は、音声再生部材による再生方向と反対向きに投影光を射出する位置に配設されることを特徴とする。
本発明によるプロジェクタ付き撮影用照明装置は、撮影時に被写体を照明する照明光を射出する照明窓と、光学像を投影するプロジェクタ装置からの投影光を射出するプロジェクタ投射口とを備え、プロジェクタ投射口は、照明窓と並べて配設されることを特徴とする。
【発明の効果】
【０００６】
請求項１に記載の発明によるプロジェクタ付き電子カメラでは、プロジェクタ投射口の配設位置を、投影光の範囲に撮影レンズの鏡筒およびカメラ部材を含まない位置としたので、プロジェクタ投射口を適切に配設できる。
請求項４に記載の発明によるプロジェクタ付き電子カメラでは、プロジェクタ投射口の配設位置を、音声再生部材による再生方向と反対向きに投影光を射出する位置としたので、プロジェクタ投射口を適切に配設できる。
請求項５に記載の発明によるプロジェクタ付き撮影用照明装置では、プロジェクタ投射口の配設位置を照明窓と並ぶ位置としたので、プロジェクタ投射口を適切に配設できる。
【発明を実施するための最良の形態】
【０００７】
以下、図面を参照して本発明を実施するための最良の形態について説明する。
（第一の実施形態）
図１は、本発明の第一の実施形態によるプロジェクタ付き電子カメラを前方側から見た斜視図である。図１において、プロジェクタ付き電子カメラ１０の正面には、撮影レンズ１１と、照明光窓１２と、プロジェクタ投射窓１３と、光学ファインダー対物窓２２とが設けられている。プロジェクタ付き電子カメラ１０の上面には、レリーズボタン１４と、モード切替ダイヤル１５と、メインスイッチ１６とが設けられている。
【０００８】
図２は、図１のプロジェクタ付き電子カメラを後方側から見た斜視図である。図２において、プロジェクタ付き電子カメラ１０の背面には、液晶表示器１７と、光学ファインダー接眼窓１８と、操作部材１９と、スピーカ孔２０とが設けられている。
【０００９】
プロジェクタ付き電子カメラ１０には、光学像を投影するプロジェクタ装置が搭載されており、プロジェクタ付き電子カメラ１０の正面側に配設されるスクリーンなどに向けて、画像などの情報をプロジェクタ投射窓１３から投影する。プロジェクタ装置に含まれる投影用光学系は、プロジェクタ付き電子カメラ１０の撮影用光学系を構成する撮影レンズ１１と別個に構成されている。プロジェクタ付き電子カメラ１０は、スピーカ孔２０の裏側にスピーカ２１を内蔵しており、音声などの情報を電子カメラ１０の後方へ向けて再生する。
【００１０】
モード切替えダイヤル１５は、撮影モードや投影モードなどのプロジェクタ付き電子カメラ１０の動作モードを切替えるためのモード切替え操作部材である。撮影モードは、被写体像を撮影し、撮影した画像データを記録媒体などに保存する動作モードである。撮影指示は、レリーズボタン１４の押下操作によって行われる。プロジェクタ付き電子カメラ１０には、撮影時に被写体を照明する照明装置が搭載されており、キセノン管やＬＥＤなどの発光体から発せられた光が照明光窓１２からプロジェクタ付き電子カメラ１０の正面に向けて射出される。撮影モードでは、スピーカ孔２０の裏側にスピーカ２１とともに内蔵されるマイク（不図示）により集音した音声のデータを、記録媒体などに保存することも可能に構成されている。
【００１１】
投影モードは、撮影済みの画像データを記録媒体などから読出し、当該画像データによる再生画像を内蔵されるプロジェクタ装置によってプロジェクタ投射窓１３から投影する動作モードである。上述したスピーカ２１からの音声再生は、投影モードにおいて作動する。
【００１２】
図１のプロジェクタ投射窓１３は、内蔵プロジェクタ装置によって投影光が射出される投影画角（投影光束）内にカメラグリップＧおよび撮影レンズ１１の鏡筒Ｐを含まないように、配設位置が考慮されている。撮影レンズ１１がズームレンズによって構成される場合には、レンズ鏡筒Ｐが最も長く繰り出された状態（ズームアップ時）であっても、レンズ鏡筒Ｐによって投影光がけられないように構成される。また、内蔵プロジェクタ装置による射出投影光の投影画角が変更可能な場合には、投影画角が最も広角の場合であってもカメラグリップＧおよび撮影レンズ１１（ズームレンズである場合にはズームアップ時の）鏡筒Ｐを含まないように、プロジェクタ投射窓１３が配設されている。
【００１３】
また、プロジェクタ投射窓１３は、使用者がカメラグリップＧを右手で把持する際に、使用者自身の指がプロジェクタ投射窓１３にかかるおそれが少ない位置（カメラグリップＧからの距離が照明光窓１２と同等）に照明光窓１２と並べて配設されている。さらに、使用者が鏡筒Ｐの周囲に配設されている操作環を左手で操作する場合に、使用者自身の指がプロジェクタ投射窓１３にかかるおそれが少ない位置（レンズ鏡筒Ｐからの距離が照明光窓１２と同等）に照明光窓１２と並べて配設されている。
【００１４】
以上説明した第一の実施形態によれば、次の作用効果が得られる。
（１）プロジェクタ付き電子カメラ１０では、撮影用光学系と異なる光学系によって画像などの情報を投影するプロジェクタ装置からの投影光を、プロジェクタ付き電子カメラ１０の正面側のプロジェクタ投射窓１３から射出させ、音声再生を行うスピーカ２１をプロジェクタ付き電子カメラ１０の背面側に配設した。一般に、小型のプロジェクタ装置はスクリーンと観察者（スクリーン上の投影像を観察する人）との間に配設されることが想定される。プロジェクタ投射窓１３からの画像投影方向およびスピーカ２１からの音声再生方向を反対にすることで、音声が観察者方向に再生されるようになり、観察者にとって再生音が聞きやすくなる。
【００１５】
（２）内蔵プロジェクタ装置によって投影光が射出される投影画角内にカメラグリップＧおよび撮影レンズ１１の鏡筒Ｐを含まないようにプロジェクタ投射窓１３を配設したので、投影光がカメラグリップＧおよび撮影レンズ１１の鏡筒Ｐによってけられることがなく、投影像の一部が欠けてしまうことが防止される。
【００１６】
（３）使用者がカメラグリップＧを右手で把持する際に、使用者自身の指がプロジェクタ投射窓１３にかかるおそれが少ない位置にプロジェクタ投射窓１３を配設したので、プロジェクタ投射窓１３を構成するレンズが汚れることを防止できる。また、撮影時に撮影を補助するための画像（たとえば、焦点調節用のパターン）を内蔵プロジェクタ装置によって投影する場合には、使用者の指によって投影像の一部が欠けてしまうことが防止される。
【００１７】
（４）使用者が鏡筒Ｐの周囲に配設されている操作環を左手で操作する場合に、使用者自身の指がプロジェクタ投射窓１３にかかるおそれが少ない位置にプロジェクタ投射窓１３を配設したので、プロジェクタ投射窓１３を構成するレンズが汚れることを防止できる。また、撮影時に撮影を補助するための画像（たとえば、焦点調節用のパターン）を内蔵プロジェクタ装置によって投影する場合には、使用者の指によって投影像の一部が欠けてしまうことが防止される。なお、上記実施形態において、被写体を照明するための発光体と、プロジェクタ装置を構成する発光体とを共用してもよい。
【００１８】
（第二の実施形態）
図３は、本発明の第二の実施形態によるプロジェクタ付き電子カメラを前方側から見た斜視図である。図３において、プロジェクタ付き電子カメラ５０の正面には、撮影レンズ１１が設けられている。プロジェクタ付き電子カメラ５０の上面には、レリーズボタン１４と、モード切替ダイヤル１５と、メインスイッチ１６とが設けられている。
【００１９】
プロジェクタ付き電子カメラ５０の上部中央にはさらに、ポップアップ式の照明装置５１が配設される。図３は、照明装置５１が使用位置にポップアップされた状態を示している。ポップアップされた照明装置５１は、撮影時に被写体を照明する照明光を発する。照明装置５１には光学像を投影するプロジェクタ装置が内蔵されており、ポップアップされた状態で照明光窓１２Ａおよびプロジェクタ投射窓１３Ａがプロジェクタ付き電子カメラ５０の前方を向くように構成されている。
【００２０】
プロジェクタ付き電子カメラ５０は、撮影モードにおいて被写体像を撮影し、撮影した画像データを記録媒体などに保存する。撮影指示は、レリーズボタン１４の押下操作によって行われる。なお、撮影モードにおいてプロジェクタ付き電子カメラ５０の背面側に内蔵されるマイク（不図示）により集音した音声のデータを記録媒体などに保存する点は第一の実施形態と同様である。
【００２１】
プロジェクタ付き電子カメラ５０は、投影モードにおいて撮影済みの画像データを記録媒体などから読出し、当該画像データによる再生画像を照明装置５１に内蔵されるプロジェクタ装置によってプロジェクタ投射窓１３Ａから投影する。なお、投影モードにおいてプロジェクタ付き電子カメラ５０の背面側に内蔵されるスピーカ（不図示）により録音済みの音声データによる音声を再生する点は第一の実施形態と同様である。
【００２２】
以上説明した第二の実施形態によれば、次の作用効果が得られる。
（１）プロジェクタ付き電子カメラ５０は、ポップアップ式の照明装置５１にプロジェクタ装置を内蔵する。使用位置にポップアップされた照明装置５１は、収容時（非使用位置＝非ポップアップ）よりもカメラグリップＧおよび撮影レンズ１１の鏡筒Ｐから離れるので、プロジェクタ装置によって投影光が射出される投影画角内にカメラグリップＧおよび鏡筒Ｐが含まれないように構成しやすい。この結果、投影光がカメラグリップＧおよび撮影レンズ１１の鏡筒Ｐによってけられることがなく、投影像の欠けを防止できる。
【００２３】
（２）上記（１）に加えて、使用位置にポップアップされた照明装置５１は収容時（非ポップアップ時）よりもカメラグリップＧおよび撮影レンズ１１の鏡筒Ｐから離れるので、使用者自身の指がプロジェクタ投射窓１３Ａにかかるおそれが少なくなり、プロジェクタ投射窓１３Ａを構成するレンズが汚れることを防止できる。また、撮影時に撮影を補助するための画像（たとえば、焦点調節用のパターン）を内蔵プロジェクタ装置によって投影する場合には、使用者の指によって投影像の一部が欠けてしまうことが防止される。
【００２４】
（３）使用位置にポップアップされた照明装置５１は、外気に触れる面積が広いので放熱効果が高くなる。この照明装置５１内にプロジェクタ装置を内蔵することで、プロジェクタ装置を構成する発光体（ＬＥＤなど）を効果的に冷却できる。また、被写体を照明するための発光体とプロジェクタ装置を構成する発光体とを共用することも可能である。
【００２５】
（第三の実施形態）
上述したプロジェクタ付き電子カメラ５０では、プロジェクタ装置をポップアップ式の照明装置５１に内蔵するようにしたが、プロジェクタ装置を外付けタイプの撮影用照明装置に内蔵する構成にしてもよい。図４は、プロジェクタ付き撮影用照明装置１１０を電子カメラ１００に装着した状態を説明する図である。
【００２６】
図４において、電子カメラ１００の正面には、着脱可能な交換レンズ１１Ｂが装着されている。電子カメラ５０の上面には、レリーズボタン１４と、モード切替ダイヤル１５とが設けられ、中央上部のアクセサリシュー（不図示）にプロジェクタ付き撮影用照明装置１１０が装着される。
【００２７】
プロジェクタ付き撮影用照明装置１１０には光学像を投影するプロジェクタ装置が内蔵されており、プロジェクタ付き撮影用照明装置１１０が電子カメラ１００に装着された状態で照明光窓１２Ｂおよびプロジェクタ投射窓１３Ｂが電子カメラ１００の前方を向くように構成されている。
【００２８】
プロジェクタ付き撮影用照明装置１１０および電子カメラ１００は、プロジェクタ付き撮影用照明装置１１０がアクセサリシューに装着された状態において、両者間で通信を行うように構成されている。電子カメラ１００がモード切替ダイヤル１５によって撮影モードに設定されているとき、電子カメラ１００からプロジェクタ付き撮影用照明装置１１０へ、照明光窓１２Ｂから被写体を照明する照明光の発光指示、発光量などを示す信号、および絞り値などのレンズ情報を示す信号が送られる。電子カメラ１００がモード切替ダイヤル１５によって投影モードに設定されているとき、電子カメラ１００からプロジェクタ付き撮影用照明装置１１０へ、プロジェクタ投射窓１３Ｂから射出する投影光の発光指示などを示す信号、および投影する再生画像信号が送られる。
【００２９】
以上説明した第三の実施形態によれば、第二の実施形態と同様に、投影光がカメラグリップおよび交換レンズ１１Ｂの鏡筒によってけられることがなく、投影像の欠けを防止できる。また、使用者自身の指がプロジェクタ投射窓１３Ｂにかかるおそれが少なくなり、プロジェクタ投射窓１３Ｂを構成するレンズが汚れることを防止できる。さらに、プロジェクタ装置を構成する発光体（ＬＥＤなど）を効果的に冷却できる上に、被写体を照明するための発光体とプロジェクタ装置を構成する発光体とを共用することも可能である。
【００３０】
特許請求の範囲における各構成要素と、発明を実施するための最良の形態における各構成要素との対応について説明する。プロジェクタ投射口は、たとえば、プロジェクタ投射窓１３（１３Ａ、１３Ｂ）が対応する。カメラ部材は、たとえば、カメラグリップＧが対応する。照明窓は、たとえば、照明光窓１２（１２Ａ、１２Ｂ）が対応する。音声再生部材は、たとえば、スピーカ２１によって構成される。なお、以上の説明はあくまで一例であり、発明を解釈する上で、上記の実施形態の構成要素と本発明の構成要素との対応関係に何ら限定されるものではない。
【図面の簡単な説明】
【００３１】
【図１】本発明の第一の実施形態によるプロジェクタ付き電子カメラを前方側から見た斜視図である。
【図２】図１のプロジェクタ付き電子カメラを後方側から見た斜視図である。
【図３】本発明の第二の実施形態によるプロジェクタ付き電子カメラを前方側から見た斜視図である。
【図４】プロジェクタ付き撮影用照明装置を電子カメラのアクセサリシューに装着した状態を説明する図である。
【符号の説明】
【００３２】
１０、５０…プロジェクタ付き電子カメラ
１１…撮影レンズ
１１Ｂ…交換レンズ
１２、１２Ａ、１２Ｂ…照明光窓
１３、１３Ａ、１３Ｂ…プロジェクタ投射窓
１４…レリーズボタン
１５…モード切替ダイヤル
２０…スピーカ孔
２１…スピーカ
５１…照明装置
１００…電子カメラ
１１０…プロジェクタ付き撮影用照明装置
Ｇ…カメラグリップ
Ｐ…鏡筒
【図１】
2006180154.tif 000003
【図２】
2006180154.tif 000004
【図３】
2006180154.tif 000005
【図４】
2006180154.tif 000006